(57)【要約】【課題】照明具を手摺りに取り付けるのに、外観を損なわず、電池を交換する必要がなく、照明具の点滅を自動的に行うことが出来る手摺りにおける照明装置を提供する。【解決手段】手摺り笠木１を上側半割部材６と下側半割部材７とにより形成すると共に、下側半割部材７に中空状支柱２を取り付けて、下側半割部材７の内側部と支柱中空部２ｏとが連通するようにして手摺りを形成し、上側半割部材６に太陽電池１０と昼光センサー１１とを取り付け、下側半割部材７にバッテリー１２を装備し、中空状支柱２に照明具９を取り付け、電線１７を、上側半割部材６の内側部、下側半割部材７の内側部及びこの内側部に連通する支柱中空部２ｏに添わせて配線してなる。【選択図】図３
2005166416.tif 000002
【特許請求の範囲】
【請求項１】
手摺り笠木を上側半割部材とこれに係脱可能に吻合される下側半割部材とによって形成すると共に、下側半割部材に中空状支柱を取り付けて、該下側半割部材の内側部と支柱中空部とが連通するようにして手摺りを形成し、手摺り笠木の上側半割部材の上側部に太陽電池と昼光センサーとを取り付け、下側半割部材の内側部に太陽電池で発生した電気を蓄電するバッテリーを装備し、中空状支柱に照明具を取り付け、太陽電池、昼光センサー、バッテリー及び照明具をつなぐ電線を、上側半割部材の内側部、下側半割部材の内側部及び該内側部に連通する支柱中空部に添わせて配線し、而して手摺り笠木の上側半割部材と下側半割部材とを互いに吻合して係嵌してなる手摺りにおける照明装置。
【発明の詳細な説明】
【技術分野】
【０００１】
本発明は、マンション等のベランダや屋上あるいは家の庭の周囲等に設置される手摺りにおける照明装置に関するものである。
【背景技術】
【０００２】
従来技術の公知文献を具体的に挙げることは出来ないが、ベランダその他に設置されている従来の手摺りには照明装置が設けられていない。
【０００３】
例えば、寒い冬の夜間にベランダで洗濯物を干す際に、室内のカーテンが閉まっている状態ではベランダ側が暗いため、足元が見えにくく、物干し作業がしにくいものである。こういう場合、手摺りに照明具を取り付けることが出来れば好都合である。また手摺りに照明具を設けておくことによって防犯上の効果もある。
【０００４】
しかしながら、手摺りに照明具を取り付けるとなると、電源を何処からとるか、電気配線をどうするか、またスイッチはどうするか、といった問題がある。例えば、電源コードを室内側からベランダ側へ引っ張ると、配線が邪魔になるし、電線が露出状態となるため、漏電の心配もある上、外観上の体裁も悪くなる。また、電源として乾電池を用いると、電池の交換が面倒であると共に、電池代が非常に高くつく。また、照明をつけたり消したりするスイッチ操作が面倒となるなどの問題もある。
【発明の開示】
【発明が解決しようとする課題】
【０００５】
本発明は、上記のような課題に鑑み、照明具を手摺りに取り付けるのに、室内側からいちいち電源コードを引っ張る必要がなく、外観を損なわず且つ漏電の心配なく配線が出来、電池の交換を行う必要がなく、非常に経済的であり、照明具の点滅を自動的に行うことが出来る手摺りにおける照明装置を提供することを目的とする。
【課題を解決するための手段】
【０００６】
上記課題を解決するための手段を、後述する実施形態の参照符号を付して説明すると、請求項１に係る発明の手摺りにおける照明装置は、手摺り笠木１を上側半割部材６とこれに係脱可能に吻合される下側半割部材７とによって形成すると共に、下側半割部材７に中空状支柱２を取り付けて、該下側半割部材７の内側部と支柱中空部２ｏとが連通するようにして手摺りを形成し、手摺り笠木１の上側半割部材６の上側部に太陽電池１０と昼光センサー１１とを取り付け、下側半割部材７の内側部に太陽電池１０で発生した電気を蓄電するバッテリー１２を装備し、中空状支柱２に照明具９を取り付け、太陽電池１０、昼光センサー１１、バッテリー１２及び照明具９をつなぐ電線１７を、上側半割部材６の内側部、下側半割部材７の内側部及び該内側部に連通する支柱中空部２ｏに添わせて配線し、而して手摺り笠木１の上側半割部材６と下側半割部材７とを互いに吻合して係嵌してなることを特徴とする。
【発明の効果】
【０００７】
上記解決手段による発明の効果を、後述する実施形態の参照符号を付して説明すると、本発明の手摺りにおける照明装置では、電源として太陽電池１０を使用すると共に、昼光センサー１１を利用して照明具９の点滅を行わせるから、電気代や電池代が要らず、電池交換等の手間ならびに照明具９をつけたり消したりする手間が一切不要となって、非常に経済的であると共に使用上きわめて便利である。また、電線１７を、手摺り笠木１の上側半割部材６の内側部、下側半割部材７の内側部及びこの内側部に連通する支柱中空部２ｏに添わせて配線しているから、ベランダ等において障害物となることがなく、また電線１７に雨水等がかかるおそれがなく、漏電の心配がなく、外観を損なうこともない。
【０００８】
また、バッテリー１２の長年使用により、その能力が低下するなどして取り替えを必要とする場合は、手摺り笠木１の上側半割部材６を下側半割部材７から外すことによって、簡単にバッテリー１２を交換することが出来る。また、太陽電池１０の交換や電線１７の点検等も簡単に行うことが出来る。
【発明を実施するための最良の形態】
【０００９】
以下に本発明の好適実施形態を図面に基づいて説明すると、図１は本発明に係る照明装置を備えたベランダの手摺りを室内側から見た正面図、図２は同手摺りの一部切欠斜視図、図３の(a) は図１のＸ−Ｘ線拡大断面図、(b) は図１の一部を拡大した断面図である。ここに例示した手摺りは、一連の手摺り笠木１、複数の中空状支柱２、複数の下横枠３、上横枠４及び多数の縦桟５によって構成され、そして所要の一つの中空状支柱２に照明具９が取り付けられる。
【００１０】
図３の(a) 及び(b) から分かるように、手摺り笠木１は、夫々アルミ押出型材からなる、上側半割部材６と、これに係脱可能に吻合される下側半割部材７とによって形成され、この手摺り笠木１の下側半割部材７に、アルミ押出型材からなる中空状支柱２の上端部が取り付けられ、そして照明具９を取り付ける中空状支柱２の中空部２ｏと下側半割部材７の内側部とは、下側半割部材７に形成した連通用開口部８によって連通している。
【００１１】
手摺り笠木１の構造につき更に詳しく説明すると、図３の(a) 及び(b) に示すように、上側半割部材６は、断面略下向きコ字状に形成されると共に、その両側下部に夫々断面略々Ｌ字状の雌形係合部６ａ，６ａが形成されており、また下側半割部材７は、断面略々上向きコ字状に形成されると共に、その両側端部に夫々断面略々Ｌ字状の雄形係合部７ａ，７ａが形成され、また中空状支柱２を取り付ける部分に前記連通用開口部８が形成されている。而して、上側半割部材６と下側半割部材７とは、雌形係合部６ａと雄形係合部７ａとが互いに係合することにより、互いに吻合して取り外し可能に係嵌されるようになっている。
【００１２】
この手摺りに照明装置を設置するにあたって、手摺り笠木１の上側半割部材６の上側部には、図３の(b) に示すようにこの上側半割部材６に係嵌される下側半割部材７の連通用開口部８の真上位置を挟んでその両側部位に太陽電池１０，１０を取り付けると共に、例えば両太陽電池１０，１０の中間位置に昼光センサー１１を取り付け、また上側半割部材６の下面側所要部に操作盤１３を取り付ける。また、下側半割部材７の内側部には、太陽電池１０で発生した電気を蓄電するバッテリー１２を、図３の(b) に示すように連通用開口部８を隔ててその両側位置に装備する。
【００１３】
また図１及び図２に示すように中空状支柱２の下端部外側面に照明具９を取り付ける。この照明具９は、発光ダイオードからなる光源１４と、この光源１４をカバーするカバーケース１５とから構成されるもので、図示は省略するが、カバーケース１５をビス等によって中空状支柱２の所定箇所に取り付ける。このカバーケース１５の取付箇所には、電線挿通用開口部１６が設けてある。
【００１４】
そしてまた、太陽電池１０、昼光センサー１１、バッテリー１２、操作盤１３及び照明具９の光源１４を電気的に接続する電線１７は、図３の(a) 及び(b) に示すように、上側半割部材６の内側部、下側半割部材７の内側部及びこの下側半割部材７の内側部に連通する支柱中空部２ｏに添わせて配線する。
【００１５】
前記昼光センサー１１は、照明具９を自動的に点滅させる、つまり昼間等の明るい時は照明具９の光源１４を消灯させ、夜間等の暗い時に光源１４を点灯させるためのもので、図示は省略するが、当該センサー１１の受光部より入射する昼光の入射量を検出し、この検出信号を操作盤１３に設けてある制御装置に送って、光源１４のスイッチ回路を開閉させるようになっている。
【００１６】
上記のように構成される照明装置は、手摺りを組み立てる際に一緒に組み立てられる。例えば、中空状支柱２を図１に例示するようにベランダ屋外側の堰壁１８上に一定間隔おきに立設し、これら中空状支柱２の上端部にわたって手摺り笠木１の下側半割部材７を架け渡して連結すると共に、隣り合う中空状支柱２，２の下端部同士を下横枠３でつなぎ、また必要に応じて隣り合う中空状支柱２，２の上端部同士を上横枠４でつなぐ。
【００１７】
尚、下側半割部材７に中空状支柱２を取り付けるには、図３の(a) 及び(b) に示すように、中空状支柱２の内周側に形成れている複数のビスホール２ｈを利用し、これらのビスホール２ｈに下側半割部材７側からビス１９をねじ込むことによって、下側半割部材７を中空状支柱２に固定する。
【００１８】
それから、所定の中空状支柱２に照明具９を取り付け、この中空状支柱２が取り付けられている下側半割部材７の所定部位にバッテリー１２を装備し、またこの下側半割部材７に取り付けようとしている上側半割部材６の所定部位に太陽電池１０、昼光センサー１１及び操作盤１３を取り付ける。そして、これら太陽電池１０、昼光センサー１１、バッテリー１２、操作盤１３及び照明具９の光源１４を電線１７によって電気的に接続すると共に、この電線１７を上側半割部材６の内側部、下側半割部材７の内側部及びこの内側部に連通する支柱中空部２ｏに添わせて配線する。
【００１９】
しかる後、手摺り笠木１の上側半割部材６を下側半割部材７に対し、上側半割部材６の馬頭係合部６ａと下側半割部材７の雄形係合部７ａとを係合させることにより吻合させて係嵌する。これによって、手摺りの組み立て施工を終えると同時に、照明装置の設置を終える。
【００２０】
上述した手摺り及び照明装置の組立順序は一例であって、これとは異なった方法で組立を行うことが出来るものである。
【００２１】
以上の実施形態で説明したような手摺りにおける照明装置によれば、先ず、電源として太陽電池１０を使用すると共に、昼光センサー１１を利用して照明具９の点滅を行わせるようにしているから、電気代が要らず、バッテリー交換等の手間ならびに照明具９をつけたり消したりする手間が一切不要となり、従って非常に経済的であると共に使用上きわめて便利となる。また、電線１７は、手摺り笠木１の上側半割部材６の内側部、下側半割部材７の内側部及びこの内側部に連通する支柱中空部２ｏに添わせて配線しているから、ベランダ等において障害物となることがない上、電線１７に雨水等がかかるおそれがなく、漏電の心配がなく、外観を損なうようなこともない。
【００２２】
また、バッテリー１２を長年使用しているうちに、その能力が低下するなどして取り替えを必要とする時には、手摺り笠木１の上側半割部材６を下側半割部材７から外すことによって、簡単にバッテリー１２を交換することが出来る。また、太陽電池１０の交換や電線１７の点検等も簡単に行うことが出来る。
【図面の簡単な説明】
【００２３】
【図１】本発明に係る照明装置を備えたベランダの手摺りを室内側から見た正面図である。
【図２】同手摺りの一部切欠斜視図である。
【図３】(a) は図１のＸ−Ｘ線拡大断面図、(b) は図１の一部を拡大した断面図である。
【符号の説明】
【００２４】
１            手摺り笠木
２            中空状支柱
２ｏ          支柱中空部
６            手摺り笠木の上側半割部材
７            手摺り笠木の下側半割部材
９            照明具
１０          太陽電池
１１          昼光センサー
１２          バッテリー
１４          照明具の光源
【図１】
2005166416.tif 000003
【図２】
2005166416.tif 000004
【図３】
2005166416.tif 000005